(57)【要約】【課題】仕上げ磨き用の歯ブラシの使用目的を容易に想起させ、仕上げ磨きをする動機付けや、仕上げ磨き専用の歯ブラシとしての信頼感を与えることのできる乳幼児用歯ブラシセットを提供する。【解決手段】乳幼児が使用する第１歯ブラシ１０と、介助者が使用する仕上げ磨き用の第２歯ブラシ５０とを、ブリスター容器２に収容してなる乳幼児用歯ブラシセット１であって、第１歯ブラシ１０は、歯ブラシ本体１１と、鍔状プレート１６とからなり、鍔状プレート１６の取付け位置からブラシ部１２の先端までの長さＬ1が３０〜４５ｍｍ、タフトの植毛面積が７５〜１３０ｍｍ2となっている。第２歯ブラシ５０は、全長Ｌ2が１３０〜２００ｍｍで、ブラシ部５２の長さＬ3が７〜１３ｍｍの範囲にあり、首部５４の長さとブラシ部５２の長さの和Ｌ4が５０ｍｍ以上であり、ブラシ部５２におけるタフト５２ｂの植毛面積が４０〜７０ｍｍ2となっている。【選択図】図１
2014217401.tif 000002
【特許請求の範囲】
【請求項１】
乳幼児が使用する第１歯ブラシと、介助者が使用する仕上げ磨き用の第２歯ブラシとを、ブリスター容器に収容してなる乳幼児用歯ブラシセットであって、
前記第１歯ブラシは、歯ブラシ本体と、該歯ブラシ本体に着脱可能に装着される鍔状プレートとからなり、
前記歯ブラシ本体は、複数本のブリッスルを束ねてなるタフトが植毛されたブラシ部と、把持部と、これら間に位置する首部とを備え、前記鍔状プレートの取付け位置から前記ブラシ部の先端までの長さが３０〜４５ｍｍとなっていると共に、前記ブラシ部におけるタフトの植毛面積が６０〜１３０ｍｍ2となっており、
前記第２歯ブラシは、複数本のブリッスルを束ねてなるタフトが植毛されたブラシ部と、把持部と、これらに連なる首部とを備え、全長が１３０〜２００ｍｍで、前記ブラシ部の長さが７〜１３ｍｍの範囲にあり、
第２歯ブラシのブラシ部の植毛面積は、第１歯ブラシのブラシ部の植毛面積以下であり、
第２歯ブラシの首部の長さとブラシ部の長さの和は、第１歯ブラシの首部の長さとブラシ部の長さの和の１．２倍以上２倍以下であり、
第２歯ブラシの把持部の長さは、第１歯ブラシの把持部の長さ以上であり、
第２歯ブラシの把持部の断面積は、第１歯ブラシの把持部の断面積以下である乳幼児用歯ブラシセット。
【請求項２】
前記第２歯ブラシは、首部の長さと前記ブラシ部の長さの和が５０ｍｍ以上であり、
前記第２歯ブラシの植毛面積は、第１歯ブラシの植毛面積以下である請求項１記載の乳幼児用歯ブラシセット。
【請求項３】
前記第１歯ブラシの把持部の最大の断面積は、１００〜３４０ｍｍ2であり、
前記第１歯ブラシの把持部の長さは、６０〜８０ｍｍである請求項１又は２に記載の乳幼児用歯ブラシセット。
【請求項４】
前記鍔状プレートの最大径と、前記第２歯ブラシの首部の長さとブラシ部の長さの和との比が、０．６〜１．２である請求項１〜３のいずれか１項に記載の歯ブラシセット。
【請求項５】
前記第１歯ブラシの前記歯ブラシ本体は、前記把持部と前記首部との境界部分に首部の径方向外側に張り出して一体として成形された、２０〜３５ｍｍの外径を有する重合せ張出し部を有しており、
前記鍔状プレートは、厚さが１〜５ｍｍの板状部材からなり、これの中央部分に、前記ブラシ部及び前記首部を挿通させる挿通穴が開口形成されていると共に、前記重合せ張出し部と重ね合される密着当接面を備えており、
前記鍔状プレートは、前記歯ブラシ本体の前記ブラシ部側から前記歯ブラシ本体に装着された状態で、前記密着当接面が前記重合せ張出し部のブラシ部側の表面に重ね合わせられており、周縁部分が前記重合せ張出し部の外縁よりも外側に張り出した状態で、前記歯ブラシ本体に一体として係止されている請求項１〜５のいずれか１項に記載の乳幼児用歯ブラシセット。
【請求項６】
前記鍔状プレートには、前記歯ブラシ本体に装着された状態の前記把持部側の面から突出する環状嵌込みリブが形成されており、該環状嵌込みリブの内側に前記重合せ張出し部を嵌め込むことで、前記鍔状プレートが前記歯ブラシ本体に一体として係止される請求項５に記載の乳幼児用歯ブラシセット。
【請求項７】
前記第２歯ブラシの前記ブラシ部の植毛面が、前記首部に対してタフト方向に５°〜１５°の角度で傾斜している請求項１〜６のいずれか１項に記載の乳幼児用歯ブラシセット。
【発明の詳細な説明】
【技術分野】
【０００１】
本発明は、乳幼児が使用する第１歯ブラシと、介助者が使用する仕上げ磨き用の第２歯ブラシとを含む乳幼児用歯ブラシセットに関する。
【背景技術】
【０００２】
歯が生え始めた乳児期から幼児期にかけて、歯磨きの習慣を身に着けることが大切であることから、乳児や幼児（以下「乳幼児」とする。）が歯磨きを行うのに適した、サイズの小さな種々の乳幼児用歯ブラシが開発されている。また特に、発達段階にある乳幼児は、歯ブラシをおしゃぶりやおもちゃや食材等と誤認して、口の中にくわえ込む傾向があるため、歯ブラシをくわえ込んだ場合でも、先端のブラシ部が喉の奥まで届かないようにした乳幼児用歯ブラシも開発されている（例えば、特許文献１参照）。
【０００３】
さらに、発達段階にある乳幼児の、発達の各段階に対応して、それぞれ適切な機能を備えた２本又は３本の歯ブラシを組み合わせた、歯ブラシセットも開発されている（例えば、特許文献２参照）。
【先行技術文献】
【特許文献】
【０００４】
【特許文献１】実公昭５７−１６２７３２号公報
【特許文献２】特開２００７−３００９８６号公報
【特許文献３】実開平６−３３５２０号公報
【発明の概要】
【発明が解決しようとする課題】
【０００５】
上記従来の乳幼児が歯磨きを行うのに適した歯ブラシや歯ブラシセットでは、安心して乳幼児に歯磨きを行わせることができる一方で、乳幼児による歯磨きでは、乳幼児のブラッシング技術は未熟であるため、磨き残しを生じやすく、介助者として例えば母親が、仕上げ磨きを行う必要がある。
【０００６】
また、乳幼児用に設計された歯ブラシを用いて介助者が仕上げ磨きを行おうとすると、例えば把持部が太すぎたり短すぎたりすることで、介助者による仕上げ磨きを十分に行うことができなくなって、磨き残しを解消することが困難になる。このため、介助者が仕上げ磨きを行うのに適した歯ブラシも提案されている（例えば、特許文献３参照）。
【０００７】
しかしながら、乳幼児用の歯ブラシと仕上げ磨き用の歯ブラシとは、別々の歯ブラシとしてバラバラに販売されていたり、購入されていたりしていたため、特に仕上げ磨き用の歯ブラシについては、使用目的を想起させることが難しく、絶対に仕上げ磨きをしなければならないといった動機付けや、乳幼児への仕上げ磨き専用の歯ブラシとしての信頼感を、十分に与えることが困難である。
【０００８】
本発明は、乳幼児が歯磨きの習慣を身に付けることができると共に、介助者による仕上げ磨きを十分に行うことができ、また仕上げ磨き用の歯ブラシについて、使用目的を容易に想起させることができると共に、絶対に仕上げ磨きをしなければならないといった動機付けや、乳幼児への仕上げ磨き専用の歯ブラシとしての信頼感を、介助者に十分に与えることのできる乳幼児用歯ブラシセットに関する。
【課題を解決するための手段】
【０００９】
本発明は、乳幼児が使用する第１歯ブラシと、介助者が使用する仕上げ磨き用の第２歯ブラシとを、ブリスター容器に収容してなる乳幼児用歯ブラシセットであって、前記第１歯ブラシは、歯ブラシ本体と、該歯ブラシ本体に着脱可能に装着される鍔状プレートとからなり、前記歯ブラシ本体は、複数本のブリッスルを束ねてなるタフトが植毛されたブラシ部と、把持部と、これら間に位置する首部とを備え、前記鍔状プレートの取付け位置から前記ブラシ部の先端までの長さが３０〜４５ｍｍとなっていると共に、前記ブラシ部におけるタフトの植毛面積が７５〜１３０ｍｍ2となっており、前記第２歯ブラシは、複数本のブリッスルを束ねてなるタフトが植毛されたブラシ部と、把持部と、これらに連なる首部とを備え、全長が１３０〜２００ｍｍで、前記ブラシ部の長さが７〜１３ｍｍの範囲にあり、第２歯ブラシのブラシ部の植毛面積は、第１歯ブラシのブラシ部の植毛面積以下であり、第２歯ブラシの首部の長さとブラシ部の長さの和は、第１歯ブラシの首部の長さとブラシ部の長さの和の１．２倍以上２倍以下であり、第２歯ブラシの把持部の長さは、第１歯ブラシの把持部の長さ以上であり、第２歯ブラシの把持部の断面積は、第１歯ブラシの把持部の断面積以下である乳幼児用歯ブラシセットに関するものである。
【発明の効果】
【００１０】
本発明の乳幼児用歯ブラシセットによれば、乳幼児が歯磨きの習慣を身に付けることができると共に、介助者による仕上げ磨きを十分に行うことができ、また仕上げ磨き用の歯ブラシについて、使用目的を容易に想起させることができると共に、絶対に仕上げ磨きをしなければならないといった動機付けや、乳幼児への仕上げ磨き専用の歯ブラシとしての信頼感を、介助者に十分に与えることができる。
【図面の簡単な説明】
【００１１】
【図１】本発明の好ましい一実施形態に係る乳幼児用歯ブラシセットの正面図である。
【図２】乳幼児が使用する第１歯ブラシの、（ａ）は斜め前方から見た斜視図、（ｂ）は分解斜視図である。
【図３】乳幼児が使用する第１歯ブラシを説明する斜め後方から見た斜視図である。
【図４】乳幼児が使用する第１歯ブラシの、（ａ）は側面図、（ｂ）は上面図である。
【図５】歯ブラシ本体の上面図である。
【図６】鍔状プレートの（ａ）は正面図、（ｂ）は背面図である。
【図７】仕上げ磨き用の第２歯ブラシの（ａ）は上面図、（ｂ）は斜め側面図である。
【発明を実施するための形態】
【００１２】
図１に示す本発明の好ましい一実施形態に係る乳幼児用歯ブラシセット１は、例えば歯が生え始めてから間もない０．５歳〜２歳の乳幼児が、介助者による介助を適宜受けながら、自身の手で把持して歯磨きを行うのに適した第１歯ブラシ１０と、介助者が乳幼児への仕上げ磨きを行うのに適した第２歯ブラシ５０とを組み合わせた、セット製品として販売されるものである。本実施形態の乳幼児用歯ブラシセット１は、乳幼児が歯磨きを行うのに適した後述する所望の形状を備える第１歯ブラシ１０と、介助者が乳幼児への仕上げ磨きを行うのに適した後述する所望の形状を備える第２歯ブラシ５０とを、好ましくは透明又は半透明の少なくとも表面側が一体のブリスター容器２に、適切に配置して組み物として収容すると共に、ブリスター容器２に保持された相当の大きさの表示面に、広告や宣伝や説明書き等を施すことで、特に仕上げ磨き用の第２歯ブラシ５０について、使用目的を容易に想起させると共に、絶対に仕上げ磨きをしなければならないといった動機付けや、乳幼児への仕上げ磨き専用の歯ブラシとしての信頼感を、介助者に与える機能を備えている。
【００１３】
そして、本実施形態の乳幼児用歯ブラシセット１は、図１に示すように、乳幼児が使用する第１歯ブラシ１０と、介助者が使用する仕上げ磨き用の第２歯ブラシ５０とを、ブリスター容器２に収容してなる歯ブラシセットであって、第１歯ブラシ１０は、図２〜図４にも示すように、歯ブラシ本体１１と、歯ブラシ本体１１に着脱可能に装着される鍔状プレート１６とからなり、歯ブラシ本体１１は、複数本のブリッスルを束ねてなるタフト１２ｂが植毛されたブラシ部１２と、把持部１３と、これらの間に位置する首部１４とを備え、鍔状プレート１６の取付け位置からブラシ部１２の先端までの長さＬ1（図２（ｂ）、図４（ａ）参照）が３０〜４５ｍｍとなっていると共に、ブラシ部１２におけるタフトの植毛面積が６０〜１３０ｍｍ2となっている。なお、鍔状プレート１６の取り付け位置からブラシ部１２の先端までの長さＬ１は、鍔状プレート１６を第１歯ブラシ１０に装着させた状態で、鍔状プレート１６のブラシ部１２側の表面からブラシ部１２の先端までの長さであり、第１歯ブラシの首部１４の長さとブラシ部１２の長さとの和に等しいことが好ましい。
【００１４】
第２歯ブラシ５０は、図７（ａ）、（ｂ）にも示すように、複数本のブリッスルを束ねてなるタフト５２ｂが植毛されたブラシ部５２と、把持部５３と、これらに連なる首部５４とを備え、全長Ｌ2が１３０〜２００ｍｍで、ブラシ部５２の長さＬ3が７〜１３ｍｍの範囲にあり、首部５４の長さとブラシ部５２の長さの和Ｌ4が５０ｍｍ以上であり（図７（ａ）参照）、ブラシ部５２におけるタフト５２ｂの植毛面積が４０〜７０ｍｍ2となっている。
【００１５】
第２歯ブラシ５０のブラシ部５２の植毛面積は、第１歯ブラシ１０のブラシ部１２の植毛面積以下であり、好ましくは第１歯ブラシ１０のブラシ部１２の植毛面積より小さい。さらに、第２歯ブラシ５０の首部５４の長さとブラシ部５２の長さの和Ｌ4は、第１歯ブラシ１０の首部１４の長さとブラシ部１２の長さの和（鍔状プレート１６の取付け位置からブラシ部１２の先端までの長さ）Ｌ1の１．２倍以上２倍以下であり、第２歯ブラシ５０の把持部５３の長さは、第１歯ブラシ１０の把持部１３の長さ以上であり、第２歯ブラシ５０の把持部５３の断面積は、第１歯ブラシ１０の把持部１３の断面積以下である。
【００１６】
また、本実施形態では、第１歯ブラシ１０の歯ブラシ本体１１は、図２〜図４に示すように、把持部１３と首部１４との境界部分から、首部１４の径方向外側に張り出して一体として成形された、２０〜３５ｍｍの外径を有する重合せ張出し部１５を有しており、鍔状プレート１６は、厚さが１〜５ｍｍの板状部材からなり、これの中央部分に、ブラシ部１２及び首部１４を挿通させる挿通穴１７が開口形成されていると共に、重合せ張出し部と重ね合される密着当接面１６ａ（図３参照）を備えている。鍔状プレート１６は、歯ブラシ本体１１のブラシ部１２側から歯ブラシ本体１１に装着された状態で、把持部１３側に位置する密着当接面１６ａを重合せ張出し部１５のブラシ部１２側の表面に重ね合わせられており、周縁部分が重合せ張出し部１５の外縁よりも外側に張り出した状態で、歯ブラシ本体１１に一体として係止されている。
【００１７】
さらに、本実施形態では、第１歯ブラシ１０の鍔状プレート１６には、歯ブラシ本体１１に装着された状態で把持部１３側に位置する面（背面）から突出する環状嵌込みリブ１８が形成されている。環状嵌込みリブ１８は、重合せ張出し部１５の外周形状と同様の内周形状を備える環状嵌込みリブ１８が形成されており、この環状嵌込みリブ１８の内側に重合せ張出し部１５を嵌め込むことで、鍔状プレート１６が歯ブラシ本体１１に一体として係止される。
【００１８】
さらにまた、本実施形態では、第１歯ブラシ１０の歯ブラシ本体１１の首部１４、及び図７（ａ）、（ｂ）に示す第２歯ブラシ５０の首部５４は、断面積が１２ｍｍ2〜５０ｍｍ2の範囲にあり、長径／短径の比が３／２〜１／１となっている。
【００１９】
本実施形態では、乳幼児用歯ブラシセット１を構成する乳幼児用の第１歯ブラシ１０の歯ブラシ本体１１は、図２〜図４に示すように、好ましくは樹脂ロックウェル硬度が８０〜１２０の硬い材質の樹脂材料として、例えばポリプロピレン、アクリロニトリル・ブタジエン・スチレン共重合体合成、アクリロニトリル・スチレン、飽和ポリエステルから選ばれる樹脂材料を用いて、ブラシ部１２の植毛台１２ａと、把持部１３と、首部１４と、重合せ張出し部１５とが一体となった一体成形品として形成される。上記のロックウェル硬度は、Ｒスケールで測定した数値であり、硬度の測定方法はＪＩＳ  Ｋ７２０２−２に基づくものである。
【００２０】
第１歯ブラシ１０のブラシ部１２の植毛台１２ａは、例えば短径が１１〜１３ｍｍ程度、長径が１３〜１６ｍｍ程度の大きさの略楕円の平面形状を有するように形成されており（図４（ｂ）参照）、また首部１４と共に、例えば４．５〜６．０ｍｍ程度の側方から見た高さを有するように形成されている（図４（ａ）参照）。ブラシ部１２の植毛台１２ａの平坦な植毛面には、複数本のブリッスルを束ねてなるタフト（毛束）１２ｂが、縦横に複数分散配置されて、例えば５〜８ｍｍ程度の毛丈で植設されている。植毛台１２ａの平坦な植毛面における、最外周部に配置されたタフト１２ｂの根元部分の外側縁部を連ねた環状線によって囲まれる領域の面積である、タフトの植毛面積は、６０〜１３０ｍｍ2であり、好ましくは７５〜１２０ｍｍ2である。
【００２１】
ブラシ部１２の植毛台１２ａと把持部１３との間に位置する首部１４は、本実施形態では、例えば長径（横幅）が５〜７ｍｍ程度、短径（高さ）が４〜６ｍｍ程度の大きさの楕円の断面形状を有するよう形成されると共に、重合せ張出し部１５のブラシ部１２側の表面からブラシ部１２の植毛台１２ａまでの長さが３０〜４５ｍｍとなるように形成されている。これによって、乳幼児用歯ブラシ１０は、鍔状プレート１６の取付け位置である重合せ張出し部１５から、ブラシ部１２の先端までの長さＬ1が、装着された鍔状プレート１６を乳幼児の唇部分に押し当てた状態で、先端のブラシ部１２が乳幼児の喉の奥まで届かない長さである、３０〜４５ｍｍとなっている。またこれによって、歯ブラシ本体１１の首部１４は、断面積が１２ｍｍ2〜５０ｍｍ2の範囲にあり、長径／短径の比が３／２〜１／１の範囲にあるようになっている。第１歯ブラシ１０の首部１４がこのような長さであることによって、乳幼児が把持して用いるのに適しているが、介助者が第１歯ブラシ１０によって仕上げ磨きをすることが困難であり、第２歯ブラシが必要となる。
【００２２】
第１歯ブラシ１０の把持部１３は、本実施形態では、首部１４との間に重合せ張出し部１５を介在させて、重合せ張出し部１５のブラシ部１２とは反対側に例えば６０〜８０ｍｍの長さで延設する部分となっている。把持部１３は、乳幼児が把持し易い太さ及び形状として、例えば長径（横幅）が１４〜２２ｍｍ程度、短径（高さ）が８〜２２ｍｍ程度の大きさの、最大の断面積が１００〜３４０ｍｍ2であることが好ましく、偏平率が０．１４〜０．５５の横長扁平な略楕円の断面形状を有すると共に、中央部分が最も太く、両側に向けてその断面形状を徐々に縮径させた形状を備えている。第１歯ブラシ１０は、このような太さ、長さ、断面形状の把持部１３であることにより、乳幼児が把持し易いが、介助者が第１歯ブラシ１０によって仕上げ磨きをすることが困難であり、第２歯ブラシが必要となる。第１歯ブラシ１０の把持部１３における、植毛台１２ａにタフト１２ｂが植設された側の、重合せ張出し部１５と近接する面領域には、乳幼児の親指や人差指の腹部を位置決めさせる、滑り止め用の環状のエンボス模様が形成された位置決め凹部１３ａが、楕円形状に浅く窪んだ状態で設けられている。把持部１３のブラシ部１２とは反対側の後端部には、高さ方向に貫通して、吊下げ部材を係止させる係止孔１３ｂが形成されている。
【００２３】
重合せ張出し部１５は、本実施形態では、把持部１３と首部１４との境界部分から首部１４の径方向外側に張り出して、好ましくは３〜８ｍｍの厚さで厚板形状に形成されている。重合せ張出し部１５は、２０〜３５ｍｍの外径として、例えば長径（横幅）が２５〜３５ｍｍ程度、短径（高さ）が２０〜３０ｍｍ程度の大きさの、円形好ましくは横長扁平な楕円の正面形状を有するように形成されている。重合せ張出し部１５は、その周端面１５ａを円弧状に湾曲させて面取りした状態で形成されていると共に、ブラシ部１２側の面（前面）の首部１４周りの中央領域に、平坦な又は僅かに湾曲する重合せ密着面１５ｂを備えている。また重合せ密着面１５ｂにおける首部１４の基端部周囲の部分には、後述する鍔状プレート１６に形成された挿通穴１７と同様の形状で突出させることにより、嵌込み段差部１５ｃが設けられている。嵌込み段差部１５ｃは、鍔状プレート１６が歯ブラシ本体１１に装着された際に、鍔状プレート１６の中央部分に開口形成された挿通穴１７に嵌め込まれる。
【００２４】
本実施形態では、鍔状プレート１６は、好ましくはゴム硬度が５０〜９５の軟らかい材質の樹脂材料として、例えばニトリルゴム、シリコーンゴム、ウレタンゴム、エチレンプロピレンゴム、イソプレンゴム、スチレンブタジエンゴム、ブタジエンゴム、熱可塑性エラストマーから選ばれる樹脂材料を用いて、厚さが１〜５ｍｍの板状部材として形成されている。上記のゴム硬度は、ＪＩＳ  Ｋ６２５３−３（２０１２年版）に基づき測定される。
【００２５】
鍔状プレート１６は、図６（ａ）、（ｂ）にも示すように、例えば長径（横幅）が４０〜６０ｍｍ程度、好ましくは４５〜６０ｍｍ程度、短径（高さ）が４０〜５５ｍｍ程度の大きさの、好ましくは重合せ張出し部１５と相似の円形又は横長扁平な楕円の正面形状を有するように形成されている。これによって鍔状プレート１６は、周縁部分１６ｂを重合せ張出し部１５の外縁よりも外側に、好ましくは５〜２０ｍの幅で全周に亘って張り出させた状態で、歯ブラシ本体１１に装着されることになる。このような幅で周縁部分１６ｂが張り出ていることで、鍔状プレート１６の歯ブラシ本体１１に対する嵌合力を強めつつ、鍔状プレート１６が軟質樹脂材料で形成されていても、介助者による歯ブラシ本体１１から鍔状プレート１６を脱着する操作を容易にすることができる。
【００２６】
また、本実施形態では、鍔状プレート１６は、ブラシ部１２側（正面側）に凸となった、ドーム状に緩やかに湾曲する形状に形成されていると共に、周端部１６ｃを円弧状に湾曲させて面取りした状態で形成されている。これらによって、乳幼児による乳幼児用歯ブラシ１０の使い易さと、介助者の乳幼児用歯ブラシ１０に対する安心感を向上させている。
【００２７】
さらに、本実施形態では、鍔状プレート１６の中央部分に、歯ブラシ本体１１への装着時にブラシ部及１２や首部１４を挿通させることが可能な大きさの挿通穴１７が、対向する長辺部を各々弧状に切り欠いた略矩形形状に開口して形成されている。また鍔状プレート１６の把持部１３側の面（背面）の中央部分には、重合せ張出し部１５の外周形状と同様の横長扁平な台形の内周形状を備える環状嵌込みリブ１８が、好ましくは重合せ張出し部１５の厚さに相当する５〜１２ｍｍの高さで突出して形成されている。
【００２８】
鍔状プレート１６を歯ブラシ本体１１に装着する際に、この環状嵌込みリブ１８に重合せ張出し部１５を嵌め込むこと共に、環状嵌込みリブ１８の内側の部分を密着当接面１６ａとして、重合せ張出し部１５の表面の重合せ密着面１５ｂに重ね合せて密着させることにより、鍔状プレート１６が、重合せ張出し部１５に支持させて、強固に且つ安定した状態で歯ブラシ本体１１に一体として取り付けられる。この際に、重合せ張出し部１５の重合せ密着面１５ｂに形成された嵌込み段差部１５ｃが、鍔状プレート１６の挿通穴１７に嵌め込まれることで、より安定した状態で鍔状プレート１６を歯ブラシ本体１１に取り付けることが可能になる。また、環状嵌込みリブ１８の内側の突出基端部には、周方向に間隔をおいて、複数の湾曲傾斜リブ１８ａが設けられている（図３参照）。これらの湾曲傾斜リブ１８ａは、重合せ張出し部１５の円弧状に面取りした周端面１５ａ（図４参照）の湾曲形状に倣って湾曲傾斜する湾曲端面を備えており、これらの湾曲端面を、重合せ張出し部１５の円弧状に面取りした周端面１５ａに当接させることで、一層安定した状態で鍔状プレート１６を歯ブラシ本体１１に取り付けることが可能になる。
【００２９】
さらにまた、本実施形態では、鍔状プレート１６の重合せ張出し部１５から外側に張り出した周縁部分に、複数の空気流通穴１９が開口形成されている。鍔状プレート１６の周縁部分に空気流通穴１９が形成されていることにより、乳幼児が、第１歯ブラシ１０を、誤って鍔状プレート１６の部分まで口の中に入れてしまった場合でも、空気流通穴１９を介して空気を流通させて、乳幼児が呼吸できなくなるのを効果的に回避することが可能になる。
【００３０】
本実施形態の乳幼児用の第１歯ブラシ１０によれば、通常の使用時には、鍔状プレート１６を歯ブラシ本体１１に一体として取り付けて、鍔状プレート１６が乳幼児の唇部分に押し当てられることによって、ブラシ部１２が喉の奥まで届かないように規制した状態で、乳幼児に歯磨きを行わせることができる。また鍔状プレート１６によってブラシ部１２が喉の奥まで届かないように規制した使用形態から、乳幼児が歯ブラシ１０の使用に慣れてきて、喉の奥の方を突いてしまう恐れが無くなってきた際に、介助者が鍔状プレート１６を外してあげることで、乳幼児は、唇部分に鍔状プレート１６を当てることなく、より口腔内の奥側における操作を行うことが可能になりながらも、重合せ張出し部１５を唇に対する位置決め部として機能させて、乳幼児がブラシ部１２の挿入量を把握しながら歯磨きを行えるようにする使用形態に、変更することができる。
【００３１】
本実施形態では、乳幼児用歯ブラシセット１を構成する仕上げ磨き用の第２歯ブラシ５０は、図７（ａ）、（ｂ）に示すように、好ましくはロックウェル硬度が８０〜１２０の硬い材質の樹脂材料として、例えばポリプロピレン、アクリロニトリル・ブタジエン・スチレン共重合体、アクリロニトリル・スチレン、飽和ポリエステルから選ばれる樹脂材料を用いて、複数本のブリッスルを束ねてなるタフト５２ｂが植毛されたブラシ部５２の植毛台５２ａと、把持部５３と、これらを連結する首部５４とが、一体となった成形品として形成される。また、第２歯ブラシ５０は、全長Ｌ2が１３０〜２００ｍｍ、ブラシ部５２の長さＬ3が７〜１３ｍｍの範囲にあり、首部５４の長さとブラシ部５２の長さの和Ｌ4が５０ｍｍ以上となっている。
【００３２】
第２歯ブラシ５０のブラシ部５２の植毛台５２ａは、例えば短径が７〜１０ｍｍ程度、長径（ブラシ部５２の長さＬ3）が７〜１３ｍｍ程度の大きさの、略長円の平面形状を有するように形成されており、また首部５４と共に、例えば４〜６ｍｍ程度の側方から見た高さを有するように形成されている。ブラシ部５２の植毛台５２ａの平坦な植毛面には、複数本のブリッスルを束ねてなるタフト（毛束）５２ｂが、縦横に複数分散配置されて、例えば５〜１０ｍｍ程度の毛丈で植設されている。植毛台５２ａの平坦な植毛面における、最外周部に配置されたタフト５２ｂの根元部分の外側縁部を連ねた環状線によって囲まれる領域の面積である、タフトの植毛面積は、好ましくは４０〜７０ｍｍ2である。第２歯ブラシ５０の植毛面積は、第１歯ブラシ１０の植毛面積以下であり、好ましくは第１歯ブラシ１０の植毛面積より小さく、更に好ましくは第１歯ブラシ１０の植毛面積に対して０.５〜０．８倍の植毛面積である。このように第１歯ブラシ１０の植毛面積が大きいことによって、乳幼児が第１歯ブラシ１０を用いる際にタフトの先端を歯にあてやすくなり、第２歯ブラシ５０の植毛面積が第１歯ブラシの植毛面積が小さいことによって、介助者が乳用児の小さな歯の細部を歯磨きしやすくなる。
【００３３】
ブラシ部５２の植毛台５２ａと把持部５３との間に連なる首部５４は、本実施形態では、例えば長径（横幅）が５〜７ｍｍ程度、短径（高さ）が４〜６ｍｍ程度の大きさの好ましくは円形又は楕円の断面形状を有するよう形成されると共に、把持部５３からブラシ部５２の植毛台５２ａまでの長さが、４０〜６０ｍｍとなるように形成されている。これによって、第２歯ブラシ５０は、首部５４の長さとブラシ部５２の長さの和Ｌ4が、５０ｍｍ以上の長さとして、好ましくは５０〜７０ｍｍ程度の長さとなっている。また、第２歯ブラシ５０の首部５４は、円形又は楕円の断面形状の断面積が１２〜５０ｍｍ2の範囲にあり、長径／短径の比が３／２〜１／１の範囲にあるようになっている。第２歯ブラシ５０の首部５４の長さとブラシ部５２の長さの和は、第１歯ブラシ１０の首部１４の長さとブラシ部１２の長さの１．２倍以上２倍以下であり、好ましくは１．３倍以上、１．８倍以下である。このように第２歯ブラシ５０の首部５４の長さとブラシ部５２の長さの和が、第１歯ブラシ１０の首部１４の長さとブラシ部１２の長さの和に対して長いことによって、第１歯ブラシ１０は乳幼児が危険なく用いることが可能となり、第２歯ブラシ５０は、介助者が仕上げ磨きをしやすいとともに、軽いブラッシング力で仕上げ磨きしやすくなる。
【００３４】
把持部５３は、本実施形態では、首部５４のブラシ部５２の反対側の後方に例えば５０〜１２０ｍｍの長さで延設する部分であることが好ましく、７０〜１１０ｍｍの長さで延設する部分であることがさらに好ましい。第２歯ブラシ５０は、その全長Ｌ2が、１３０〜２００ｍｍの長さを備え、Ｌ2は１４０〜１８０ｍｍであることが好ましい。把持部５３は、一般の歯ブラシのように、平べったい形状に形成することもできるが、例えば長径（横幅）が１０〜１３ｍｍ程度、短径（高さ）が８〜１１ｍｍ程度の大きさの、長径と短径の比を３／２〜１／１とした断面形状を備えるように形成することが好ましい。本実施形態では、把持部５３の断面形状は、好ましくは円形又は正多角形である。把持部５３は、首部１４側に正多角形の断面形状を備えることにより、第２歯ブラシ５０のブラシ部５２の向きを固定しやすく、かつ、ブラシ部５２の向きを所望の向きに固定することができる。前記正多角形としては、六角形又は八角形の断面形状であることが好ましい。また、把持部５３は、首部１４側の角形断面部５３ａと、これよりブラシ部５２と反対側の後方部分の円形断面部５３ｂとを備えることが好ましく、円形断面部５３ｂの角形断面部５３ａに近接する部分には、指当て凹部５３ｃが形成されていることが好ましい。
【００３５】
第２歯ブラシ５０の把持部５３がこのような形状を備えていることにより、把持部５３を握り易くなって仕上げ磨きを行う際の力をコントロールしやすくなると共に、鉛筆を持つように手に持って使用する際に、指当て凹部５３ｃが人指し指の腹脇部にあたるので、第２歯ブラシ５０を小きざみに動かしやすく、また第２歯ブラシ５０を回転させやすいので、奥歯の汚れを落としやすくなる。また、第２歯ブラシの把持部５３の断面積は最大で５０〜１００ｍｍ2であることが好ましく、６０〜９０ｍｍ2であることがより好ましく、第１歯ブラシ１０の把持部１３の最大断面積より小さいことが好ましい。第２歯ブラシ５０の把持部５３の断面積は第１歯ブラシ１０の把持部１３の断面積の０．２〜０．７の大きさにすることがより好ましく、これにより第１歯ブラシ１０の把持部１３は乳幼児が握りやすく、第２歯ブラシ５０の把持部５３は介助者が仕上げ磨きしやすいとともに、仕上げ磨きの際のブラッシング圧を軽減しながら、乳幼児の小さな歯の細部まで仕上げ磨きしやすくなる。
【００３６】
また、本実施形態では、第２歯ブラシ５０は、ブラシ部５２の植毛面が、首部５４に対してタフト５２ｂの方向に５°〜１５°の角度θで傾斜して形成されている。ブラシ部５２の植毛面を傾斜させることで、一段低くなっているほう出途上の第一大臼歯の咬合面等を、磨き直ししやすくなる。
【００３７】
さらに、本実施形態では、第１歯ブラシ１０の鍔状プレート１６の最大径と、第２歯ブラシ５０の首部５４の長さとブラシ部５２の長さの和Ｌ4との比が、０．６〜１．２となっている。このような、第１歯ブラシ１０の鍔状プレート１６と、第２歯ブラシ５０の首部５４の長さとブラシ部５２の長さの和との関係により、図１に示すように、ブリスター容器２に第１歯ブラシ１０、鍔状プレート１６、及び第２歯ブラシ５０を組物として収容する際に、第１歯ブラシ１０のブラシ部１２に重ねて鍔状プレート１６を収容し、第１歯ブラシ１０と第２歯ブラシ５０の把持部５３側の端部の位置をそろえて並べた場合に、第２歯ブラシ５０の細い首部５４の範囲に鍔状プレート１６を入れ子に配置できるため、ブリスター容器２内での組物の収まりが良好になり、コンパクトに収容することができる。
【００３８】
本実施形態の仕上げ磨き用の第２歯ブラシ５０によれば、上述の構成を備えることにより、小さな口の中にも入れやすくなると共に、小さな歯も一本一本見やすくなる。また、ブラシ部５２の植毛台５２ａが小さくなっていることで、小さな歯も見ながら磨きやすくなる。また、首部５４の長さとブラシ部５２の植毛台５２ａの長さの和Ｌ4を５０ｍｍ以上として、奥歯に届く長さ以上とすることで、仕上げ磨きを行う介助者の目の位置から口の中を見る際に、把持部５３によって視界をさえぎることがなくなる。なお、首部５４の長さとブラシ部５２の長さの和は、仕上げ磨きのしやすさの観点から９０ｍｍ以下であることが好ましい。
【００３９】
第１歯ブラシ１０や第２歯ブラシ５０と共に乳幼児用歯ブラシセット１を構成するブリスター容器２は、図１に示すように、紙製、樹脂製等の平坦な板状の台紙３と、好ましくは透明なプラスチックシートから真空成形や圧空成形等によって成形され、第１歯ブラシ１０や第２歯ブラシ５０の立体形状に沿った、立体凸形状の第１収容部４ａと第２収容部４ｂとを有するブリスター４とからなり、略縦長矩形の正面形状を備えている。台紙３とブリスター４とは、第１歯ブラシ１０や第２歯ブラシ５０を、ブリスター４の第１収容部４ａや第２収容部４ｂに配置してから、ヒートシール等の接着手段を介してこれらの周縁部分を接着することにより、各々の収容部４ａ，４ｂに第１歯ブラシ１０や第２歯ブラシ５０を保持した状態で、製品化される。
【００４０】
本実施形態では、ブリスター容器２の正面左側の下方略１／２の領域に形成された第１収容部４ａに、第１歯ブラシ１０が、鍔状プレート１６の挿通穴１７の部分にブラシ部１２の植毛台１２ａの背面側部分を係止して、鍔状プレート１６に首部１４を重ね合わせた状態で、コンパクトに収容されている。また、ブリスター容器２の正面右側の下方略２／３の領域に形成された細長い第２収容部４ａに、第２歯ブラシ２０が、斜め横井向きに配置されて収容されている。これらによって、ブリスター容器２には、第１収容部４ａの上方の領域や第２収容部４ｂの上方の領域を含めた、広い面積の表示面が保持されることになり、保持された表示面には、広告や宣伝や説明書き等が施されている。さらに、ブリスター容器２の上端部分には、販売時に乳幼児用歯ブラシセット１を吊り下げて陳列できるように、吊下げフック部５が切欠き形成されている。
【００４１】
そして、上述の構成を備える本実施形態の乳幼児用歯ブラシセット１０によれば、乳幼児が歯磨きの習慣を身に着けることが可能になると共に、介助者による仕上げ磨きを十分に行うこと可能になり、また仕上げ磨き用の歯ブラシについて、使用目的を容易に想起させることがで可能になる共に、絶対に仕上げ磨きをしなければならないといった動機付けや、乳幼児への仕上げ磨き専用の歯ブラシとしての信頼感を、介助者に十分に与えることが可能になる。
【００４２】
すなわち、本実施形態の乳幼児用歯ブラシセット１０によれは、乳幼児が歯磨きを行うのに適した上述のような所望の形状を備える第１歯ブラシ１０を、乳幼児に安心して使用させて、歯磨きの習慣を身に着けさせることが可能になると共に、介助者が乳幼児への仕上げ磨きを行うのに適した上述のような所望の形状を備える第２歯ブラシ５０を用いて、乳幼児に対して磨き残しが生じないように十分に仕上げ磨きを行うことが可能になる。また、乳幼児が自ら使用する第１歯ブラシ１０と、介助者が仕上げ磨きを行う第２歯ブラシ５０とを、好ましくは透明又は半透明のブリスター容器２に、バラバラにすることなく一体として収容すると共に、ブリスター容器２に保持された相当の大きさの表示面に、広告や宣伝や説明書き等を施すことで、設計をリンクさせ、且つ別々に選ぶ手間を省略させて、特に仕上げ磨き用の第２歯ブラシについて、使用目的を容易に想起させると共に、絶対に仕上げ磨きをしなければならないといった動機付けや、乳幼児への仕上げ磨き専用の歯ブラシとしての信頼感を、介助者に与えることか可能になる。
【００４３】
なお、本発明は上記実施形態に限定されることなく種々の変更が可能である。例えば、第１歯ブラシは、歯ブラシ本体に鍔状プレートが、密着当接面を重合せ張出し部に重ね合わせることで、周縁部分を重合せ張出し部から外側に張り出させた状態で歯ブラシ本体に係止されるものである必要は必ずしもなく、例えば鍔状プレートの挿通穴の開口内周面に形成した係着部を、歯ブラシ本体の外周面に設けた被係着部に係着させるもの等であっても良い。また、ブリスター容器は、略縦長矩形の正面形状以外の、その他の種々の正面形状を備えるように形成することもできる。
【符号の説明】
【００４４】
１    乳幼児用歯ブラシセット
２    ブリスター容器
３    台紙
４    ブリスター
４ａ  第１収容部
４ｂ  第２収容部
５    吊下げフック部
１０  第１歯ブラシ
１１  歯ブラシ本体
１２  ブラシ部
１２ａ  植毛台
１２ｂ  タフト
１３  把持部
１４  首部
１５  重合せ張出し部
１５ａ  周端面
１５ｂ  重合せ密着面
１５ｃ  嵌込み段差部
１６  鍔状プレート
１６ａ  密着当接面
１６ｂ  周縁部分
１６ｃ  周端部
１７  挿通穴
１８  環状嵌込みリブ
１８ａ  湾曲傾斜リブ
１９  空気流通穴
５０  第２歯ブラシ５２  ブラシ部
５２ａ  植毛台
５２ｂ  タフト
５３  把持部
５３ａ  角形断面部
５３ｂ  円形断面部
５３ｃ  指当て凹部
５４  首部
Ｌ1  第１歯ブラシの鍔状プレートの取付け位置からブラシ部の先端までの長さ
Ｌ2  第２歯ブラシの全長
Ｌ3  第２歯ブラシのブラシ部の長さ
Ｌ4  第２歯ブラシの首部の長さとブラシ部の長さの和
【図１】
2014217401.tif 000003
【図２】
2014217401.tif 000004
【図３】
2014217401.tif 000005
【図４】
2014217401.tif 000006
【図５】
2014217401.tif 000007
【図６】
2014217401.tif 000008
【図７】
2014217401.tif 000009